(57)【特許請求の範囲】
【請求項１】
ズーム動作により光軸方向に移動し、該移動中に移動方向を転換する最も被写体側に配置されたＵターン光学系と、
前記ズーム動作により前記光軸方向に移動する前記最も被写体側に配置されたＵターン光学系とは異なる他の光学系と、
前記ズーム動作中に前記光軸方向に移動するとともに、前記他の光学系を前記光軸方向に移動させる第１の移動手段とを有するズームレンズ鏡筒において、
前記ズーム動作により前記最も被写体側に配置されたＵターン光学系を移動させる直進案内溝を有するとともに、少なくとも前記最も被写体側に配置されたＵターン光学系の移動方向と前記第１の移動手段の移動方向とが逆となるときに、前記第１の移動手段の移動の方向に前記第１の移動手段を移動させる第２の移動手段とを備えたことを特徴とするズームレンズ鏡筒。
【請求項２】
前記他の光学系は、合焦動作時及び変倍動作時に前記光軸方向に移動することを特徴とする請求項１に記載のズームレンズ鏡筒。
【請求項３】
前記他の光学系は、前記最も被写体側に配置されたＵターン光学系以外の全ての光学系であり、変倍動作時に前記光軸方向に移動することを特徴とする請求項１に記載のズームレンズ鏡筒。
【請求項４】
前記光軸方向に不動な固定筒を有し、前記第１の移動手段は前記固定筒の内周側に配置され、前記第２の移動手段は前記固定筒の外周側に配置されていることを特徴とする請求項１〜請求項３のいずれか１項に記載のズームレンズ鏡筒。
【請求項５】
前記固定筒には前記光軸方向に前記第１の移動手段を移動するためのカム溝が設けられていることを特徴とする請求項４に記載のズームレンズ鏡筒。
【請求項６】
前記第１の移動手段は前記他の光学系を移動するためのカム溝を有するカム筒であり、前記第２の移動手段は前記最も被写体側に配置されたＵターン光学系を移動するための直進案内溝を有する筒であることを特徴とする請求項１〜請求項５のいずれか１項に記載のズームレンズ鏡筒。
【発明の詳細な説明】
【０００１】
【発明の属する技術分野】
本発明は、ズーム動作時に、光軸方向に移動しつつ、光学系を光軸方向に駆動する駆動機構を備え、光学系の少なくとも一部が、ズーム動作中にその移動方向を転換するズームレンズ鏡筒に関する。
【０００２】
【従来の技術】
従来、いわゆる前玉繰り出し方式以外の合焦方式を採用するズームレンズ鏡筒として、インナーフォーカス方式のズームレンズ鏡筒が知られている。インナーフォーカス方式のズームレンズ鏡筒では、ズーミング動作中の合焦状態を一定に保つべく、補正カムリングを使用している。補正カムリングとは、ズーミング時にレンズ群を光軸方向に駆動するカムリングであって、それ自体がズーミングに合わせ光軸方向に移動するものをいう。つまり、従来のズームレンズ鏡筒では、補正カムリングをも光軸方向に移動させることにより、ズーミング動作に伴い変化する合焦用レンズの繰り出し量を補正しているのである。
【０００３】
従来のインナーフォーカス方式のズームレンズ鏡筒では、ズーミングによって移動する各レンズ群の移動方向が、補正カムリングと同一方向、あるいは方向が異なったとしても、それらレンズ群と補正カムリングとの移動量の差が僅かである。したがって、レンズ群を駆動すべく、補正カムリングに設けられた移動カム溝は、光軸に対し比較的大きな角をもって交わる形状を有している。このために、その移動カム溝を含むカム機構（レンズ群の駆動機構）の作動効率は、比較的良好であった。
【０００４】
【発明が解決しようとする課題】
しかしながら、近年、光学系を構成するレンズ群の一部が、ワイド側からテレ側のズーミング動作中に、その移動方向を転換し、光軸に沿ってＵターンするズームレンズ鏡筒が登場するようになった。
このようなズームレンズ鏡筒では、補正カムリングの移動方向と、Ｕターン移動するレンズ群とが、全ズーミング領域中のある焦点距離の範囲において、全く反対の方向に移動する。つまり、レンズ群と補正カムリングとの相対移動量が非常に大きいズーミング領域が存在する。この相対移動量は、Ｕターン移動するレンズ群が光学系の最も被写体側に位置する第１レンズ群である場合に、特に大となる。このために、補正カムリング上に設けられた、Ｕターン移動するレンズ群を駆動するための移動カム溝は、光軸に対し小さい角度をもって交わる、すなわち、補正カム溝の回転角に対し光軸方向に非常に長い形状のものとなる。この結果、上記移動カム溝を含むレンズ群の駆動機構は、ズーミングトルクが非常に大きい、作動効率の悪いものとなり、ズーミング操作上好ましくないという問題があった。また、Ｕターン移動するレンズ群が第１レンズ群である場合には、この問題は特に重大であった。
【０００５】
そこで、本発明の課題は、ズーム動作時に、光軸方向に移動しつつ、光学系を光軸方向に駆動する駆動機構を備え、光学系の少なくとも一部が、ズーム動作中にその移動方向を転換するズームレンズ鏡筒において、ズーム操作性を改善することにある。
【０００６】
【課題を解決するための手段】
前記課題を解決するために、請求項１に記載の発明は、ズーム動作により光軸方向に移動し、該移動中に移動方向を転換する最も被写体側に配置されたＵターン光学系と、前記ズーム動作により前記光軸方向に移動する前記最も被写体側に配置されたＵターン光学系とは異なる他の光学系と、前記ズーム動作中に前記光軸方向に移動するとともに、前記他の光学系を前記光軸方向に移動させる第１の移動手段とを有するズームレンズ鏡筒において、前記ズーム動作により前記最も被写体側に配置されたＵターン光学系を移動させる直進案内溝を有するとともに、少なくとも前記最も被写体側に配置されたＵターン光学系の移動方向と前記第１の移動手段の移動方向とが逆となるときに、前記第１の移動手段の移動の方向に前記第１の移動手段を移動させる第２の移動手段とを備えたことを特徴とするズームレンズ鏡筒である。
請求項２に記載の発明は、前記他の光学系は、合焦動作時及び変倍動作時に前記光軸方向に移動することを特徴とする請求項１に記載のズームレンズ鏡筒である。
請求項３に記載の発明は、前記他の光学系は、前記最も被写体側に配置されたＵターン光学系以外の全ての光学系であり、変倍動作時に前記光軸方向に移動することを特徴とする請求項１に記載のズームレンズ鏡筒である。
請求項４に記載の発明は、前記光軸方向に不動な固定筒を有し、前記第１の移動手段は前記固定筒の内周側に配置され、前記第２の移動手段は前記固定筒の外周側に配置されていることを特徴とする請求項１〜請求項３のいずれか１項に記載のズームレンズ鏡筒である。
請求項５に記載の発明は、前記固定筒には前記光軸方向に前記第１の移動手段を移動するためのカム溝が設けられていることを特徴とする請求項４に記載のズームレンズ鏡筒である。
請求項６に記載の発明は、前記第１の移動手段は前記他の光学系を移動するためのカム溝を有するカム筒であり、前記第２の移動手段は前記最も被写体側に配置されたＵターン光学系を移動するための直進案内溝を有する筒であることを特徴とする請求項１〜請求項５のいずれか１項に記載のズームレンズ鏡筒である。
【０００７】
【発明の実施の形態】
以下、図面等を参照して、本発明に係る実施形態について、さらに詳しく説明する。
図１は、本発明の一実施形態であるズームレンズ鏡筒の断面図である。また、図２は、内側ズームリング８及び内側固定筒２の部分展開図、図３は、ズームカムリング７及び内側固定筒２の部分展開図である。なお、図１では図面左、また、図２及び図３では図面上が光軸前方（被写体方向）となっている。
【０００８】
本実施形態は、５つのレンズ群より構成される光学系を備えている。
第１レンズ群Ｌ１、Ｌ２は、ワイド側からテレ側へ向けてズーミング動作を行うときに、途中でその移動方向を転換し、光軸に沿ってＵターンを行うレンズ群である。すなわち、第１レンズ群Ｌ１、Ｌ２は、光学系の焦点距離がワイドとテレのほぼ中間の値となるまでは光軸後方へ移動し、そこで移動方向を転換して、以後、光軸前方への移動する。
一方、その他のレンズ群（第２レンズ群Ｌ３、第３レンズ群Ｌ４、第４レンズ群Ｌ５、及び第５レンズ群Ｌ６、Ｌ７）は、ワイド側からテレ側へ向けてズーミング動作をするときは、終始光軸前方へ移動するレンズ群である。また、第２レンズ群Ｌ３は、フォーカシングレンズとしての機能をも同時に果たすレンズ群である。
【０００９】
次に、本実施形態を構成する各部材について説明する。
外側固定筒１は、光軸後方の端部にマウント部１ａを有し、そのマウント部１ａを介して、図示しないカメラボディに取り付けられる部材である。外側固定筒１は、このマウント部１ａの近傍の外周部に絞りリング４を回転自在に備えている。また、外側固定筒１の外周部中央には、ズームリング５がやはり光軸中心の回転自在に設けられている。外側固定筒１の光軸前方の端部には、内側固定筒２との間で挟み込まれるように、フォーカスリング６が光軸中心の回転が可能な状態で取り付けられている。
【００１０】
内側固定筒２は、外側固定筒１より内径側において、外側固定筒１と一体に固定された部材である。内側固定筒２は、内径の異なる２つの円筒状の部材、すなわち、大径部２ａ及び小径部２ｃを中央において接続した形状を有する。大径部２ａの内周部には、第１レンズ群移動枠３の外周部３ａが光軸方向への前後移動可能に嵌合している。第１レンズ群移動枠３は、第１レンズ群Ｌ１、Ｌ２を保持するための部材である。また、大径部２ａには、第１レンズ群Ｌ１、Ｌ２を光軸方向に移動させるための移動カム溝２ｂが設けられている。一方、第一レンズ群移動枠３は、その外周部３ａにカムピン９を備えている。カムピン９は、移動カム溝２ｂを貫通し、その先端部を内側ズームリング８の案内溝８ａに嵌合させている。
【００１１】
ここで、移動カム溝２ｂは、図２に示されるように、光軸後方へ凸の屈曲した形状を有するカム溝である。したがって、カムピン９は、移動カム溝２ｂの形状に沿って、位置Ｌから位置Ｍまでは光軸後方に距離Ｄ５だけ移動し、次に、位置Ｍから位置Ｎまでは光軸前方に距離Ｄ６だけ移動する。つまり、カムピン９は、方向を途中で転換して移動し、光軸方向にＵターンを行うのである。
一方、内側ズームリング８は、内側固定筒２の外周部に光軸中心の回転自在に嵌合している部材であり、案内溝８ａは、内側ズームリング８の前部に光軸平行に受けられた直進案内溝である。
内側ズームリング８が回転すると、その運動は案内溝８ａを介してカムピン９に伝達され、カムピン９は移動カム溝２ｂに沿って移動する。この結果、第１レンズ群移動枠３は、光軸を中心に回転しながら、移動カム溝２ｂの形状に従って光軸方向に前後移動する。しかも、その前後移動は、前述したように、はじめ光軸後方に移動しながら、途中で光軸前方へ移動方向を転換するものである。
【００１２】
一方、内側固定筒２の小径部２ｃは、その内周部において、ズームカムリング７を光軸中心の回転、及び光軸方向への前後移動が可能に嵌合させている。ズームカムリング７は、第２レンズ群から第５レンズ群までの各レンズ群のズーミング動作を定める移動カム溝（７ａ〜７ｄ）を備えた部材である。また、ズームカムリング７は、外周部にカムピン１５を備えている。カムピン１５は、内側固定筒２の小径部２ｃに設けられている移動カム溝２ｄを貫通し、その先端部を内側ズームリング８に光軸平行に設けられた案内溝８ｂに嵌合させている。したがって、内側ズームリング８とズームカムリング７とは、光軸中心の回転方向に一体であり、内側ズームリング８が回転すると、ズームカムリング７も同じ角度回転する。また、ズームカムリング７が回転した場合には、カムピン１５が移動カム溝２ｄに沿って移動するために、ズームカムリング７も移動カム溝２ｄの形状に沿って光軸前後に移動する。
【００１３】
ズームカムリング７の内周部には、第５レンズ群Ｌ６、Ｌ７を内周部に保持している第５レンズ群保持枠１１が光軸方向に移動可能に嵌合している。第５レンズ群保持枠１１の外周部にはカムピン１６が取り付けてあり、カムピン１６はズームカムリング７に設けられている移動カム溝７ａに嵌合している。また、第５レンズ群保持枠１１の中央の屈曲断面部１１ｂには、直進キー１７が取り付けられている。直進キー１７の先端部は、内側固定筒２の光軸後端部に設けられている光軸平行な案内溝２ｆと係合している。したがって、第５レンズ群移動枠１１は、回転することがなく、光軸方向にのみ移動可能である。
【００１４】
第５レンズ群移動枠１１の内周部には、第４レンズ群Ｌ５を保持する第４レンズ群移動枠１２が光軸方向に移動可能に嵌合している。第４レンズ群移動枠１２の外周部にはカムピン１８が取り付けられている。カムピン１８は、カムリング７の移動カム溝７ｂを貫通して、内側固定筒２の案内溝２ｅの中にその先端部を嵌合させている。ここで、案内溝２ｅは、光軸に平行な直進溝である。よって、カムリング７が回転すると、第４レンズ群移動枠１２は、回転することなく、移動カム溝７ｂの形状に沿って光軸方向に移動する。
【００１５】
第４レンズ群移動枠１２の内周部には、第３レンズ群Ｌ４を保持する第３レンズ群移動枠１３が光軸方向に移動可能に嵌合している。第３レンズ群移動枠１３の外周部にはカムピン１９が取り付けられており、カムピン１９は第４レンズ群移動枠１２に設けてある逃げ溝１２ａを貫通し、その一部を第５レンズ群移動枠１１に光軸平行に設けられてた案内溝１１ａに嵌合させている。また、カムピン１９の先端部は、カムリング７に設けてある移動カム溝７ｃに嵌合している。したがって、カムリング７が回転すると、第３レンズ群移動枠１２は移動カム溝７ｃの形状に従って、回転することなく光軸方向へ移動する。
【００１６】
第３レンズ群移動枠１３の内周部には、第２レンズ群Ｌ３を保持する第２レンズ群移動枠１４が嵌合している。第２レンズ群移動枠１４の外周部には、カムピン２０が取り付けられている。カムピン２０は、第３レンズ群移動枠１３、第４レンズ群移動枠１２、及び第５レンズ群保持枠１１のそれぞれに設けてある逃げ溝を貫通している。また、カムピン２０の一部は、カムリング７の移動カム溝７ｄの中に嵌合している。さらに、カムピン２０は、内側固定筒２に設けられた逃げ溝を貫通して、その先端部をフォーカスリング６の小径部６ａに設けられた光軸平行な案内溝６ｂに嵌合させている。
【００１７】
案内溝６ｂは、フォーカスリング６が回転しない場合は、カムピン２０に対する直進案内溝としての働きをする。したがって、この状態でカムリング７が回転すると、カムピン２０及びカムピン２０と一体に移動する第２レンズ群移動枠１４は、回転することなく、移動カム溝７ｄの形状に沿いながら光軸方向へ移動する。
また、カムリング７が回転せず、フォーカスリング６が回転する場合は、カムピン２０は、フォーカスリング６の案内溝６ｂより回転力を与えられ、カムリング７の移動カム溝７ｄの形状に沿って、回転しながら光軸方向に移動する。この結果、第２レンズ群移動枠１４も回転しながら光軸方向に移動し、フォーカシングが行われる。
一方、内側ズームリング８の外周部にはピン２１が取り付けられている。ピン２１の先端部は、外側固定筒１に設けられた逃げ穴を貫通して、ズームリング５の係合穴５ａに係合している。これにより、ズームリング５と内側ズームリング８とは、回転方向に一体となっている。
【００１８】
次に、本実施形態のズーミング動作について、焦点距離をワイド側からテレ側へ変化させる場合を例に説明する。
本実施形態において、ズーミングは、ズームリング５を回転操作して行う。ズームリング５を回転させると、内側ズームリング８に取り付けてあるピン２１の先端部がズームリング５の係合穴５ａに係合しているために、ズームリング５と内側ズームリング８とが一体となって回転する。さらに、内側ズームリング８の回転運動は、案内溝８ａを介してカムピン９に伝達され、カムピン９は、移動カム溝２ｂの形状に沿って回転する。この結果、第１レンズ群移動枠３は、光軸を中心に回転しながら移動カム溝２ｂの形状に従って光軸方向に移動する。しかもその移動は、既に説明したように、途中で移動方向を転換するいわゆるＵターンを伴うものである。
【００１９】
一方、内側ズームリング８が回転すると、その回転運動は、案内溝８ｂを介してカムピン１５にも伝達される。カムピン１５は、移動カム溝２ｄに沿って移動し、その運動をズームカムリング７に伝達する。この結果、ズームカムリング７は、移動カム溝２ｄの形状に沿って光軸中心の回転をしながら光軸方向へ移動する。ズームカムリング７の光軸方向の移動量は、移動カム溝２ｄの光軸方向長さＤ１（図３参照）に等しく、その方向は光軸前方である。
【００２０】
次に、ズームカムリング７の運動は、移動カム溝７ａ及びカムピン１６を介して第５レンズ群移動枠１１に伝達される。前述のように、第５レンズ群移動枠１１は、その屈曲断面部１１ｂに固定されている直進キー１７と、内側固定筒２の案内溝２ｆとの作用により、光軸方向の直進移動のみが可能であり、光軸中心の回転をしない。したがって、ズームカムリング７の光軸方向の直進運動は、カムピン１６等を介して直接第５レンズ群移動枠１１に伝達される。一方、その回転運動は、移動カム溝７ａ及びカムピン１６により光軸方向の直進運動に変換されて第５レンズ群移動枠１１に伝達される。したがって、第５レンズ群移動枠１１は、ズームカムリング７が光軸方向に移動せず回転運動のみを行う場合には、光軸後方へ移動カム溝７ａの光軸方向長さＤ２（図３参照）と等しい距離だけ移動する。ズームカムリング７が光軸方向に移動しつつ回転運動をも行う場合には、第５レンズ群移動枠１１は、光軸方向へＤ１−Ｄ２だけ移動する。ズームカムリング７自体が光軸前方へ距離Ｄ１だけ移動するからである。
【００２１】
また、ズームカムリング７の運動は、移動カム溝７ｂ及びカムピン１８を介して第４レンズ群移動枠１２にも伝達される。ここで、カムピン１８は、内側固定筒２の案内溝２ｅにその先端部を嵌合させているために、案内溝２ｅに沿った光軸方向へのみ移動が可能である。したがって、第４レンズ群移動枠１２は、カムリング７が回転すると、移動カム溝７ｂの形状に従い回転することなく光軸方向へ移動する。第４レンズ群移動枠１２の光軸方向の移動量は、ズームカムリング７が光軸方向に移動しない場合には、移動カム溝７ｂの光軸方向長さＤ３（図３参照）と等しく、その方向は光軸後方である。しかし、ズーミング時には、ズームカムリング７が光軸前方へ距離Ｄ１だけ移動するので、結果的に、第４レンズ群移動枠１２の光軸方向の移動量は、光軸前方へＤ１−Ｄ３となる。
【００２２】
ズームカムリング７の運動は、移動カム溝７ｃ及びカムピン１９を介して第３レンズ群移動枠１３にも伝達される。ここで、カムピン１９は、第５レンズ群移動枠１１に設けられた光軸平行な案内溝１１ａにその一部を嵌合させている。したがって、カムピン１９及びカムピン１９が取り付けられている第３レンズ群移動枠１３は、カムリング７が回転すると、移動カム溝７ｃの形状に従って、回転することなく光軸方向へ移動する。第３レンズ群移動枠１３の光軸方向の移動量は、ズームカムリング７が光軸方向へ移動しない場合には、移動カム溝７ｃの光軸方向長さＤ４（図３参照）と等しく、その方向は光軸後方である。したがって、ズーミング時の第３レンズ群移動枠１３の移動量は、光軸前方へＤ１−Ｄ４となる。
【００２３】
さらに、ズームカムリング７の運動は、移動カム溝７ｄ及びカムピン２０を介して第２レンズ群移動枠１４にも伝達される。前述のように、カムピン２０はその先端部をフォーカスリング６に設けられた案内溝６ｂに嵌合させている。このために、フォーカスリング６が回転しない状態では、案内溝６ｂがカムピン２０に対し直進案内溝として機能する。したがって、カムピン２０と、カムピン２０と一体となって移動する第２レンズ群移動枠１４とは、カムリング７が回転すると、移動カム溝７ｄの形状に従い、回転することなく光軸方向へ移動する。このときの第３レンズ群移動枠１３の移動量は、ズームカムリング７の移動量Ｄ１と、第２レンズ群移動枠１４のズームカムリング７に対する相対移動量Ｄ４（図３参照）との差Ｄ１−Ｄ４であり、その方向は光軸前方である。なお、移動カム溝７ｃは、第２レンズ群移動枠１４のズーミング動作及び合焦動作の双方を定めるカム溝である。このために、上記距離Ｄ４は、合焦動作に必要とされるカム溝の長さ分だけ、移動カム溝７ｃの全体の光軸方向長さより短い。また、本実施形態では、ズーミング時に、第２レンズ群移動枠１３と第３レンズ群移動枠１３とは、全く同じ動きをする。
【００２４】
次に、フォーカシング時における本実施形態の動作について説明する。ここでは、本実施形態が最も焦点距離の短い、いわゆるワイド端側に設定されているときに、合焦用レンズ（Ｌ３）を無限遠の位置から至近位置へ移動させる場合を例に説明をする。
はじめに、フォーカスリング６は、手動により光軸後方から見て反時計回りに回転させられる。このときに、ズームリング５は回転操作されず、ズームリング５及びズームリング５と回転方向に一体となっているズームカムリング７は回転しない。フォーカスリング６の回転運動は、案内溝６ｂを介してカムピン２０に伝達される。このために、カムピン２０は、カムリング７の移動カム溝７ｄ内を無限遠の位置Ｉから至近の位置Ｋまで、その形状に沿って移動する（図３参照）。この結果、第２レンズ群移動枠１４は、回転しながら光軸後方へ移動する。なお、このときの第２レンズ群移動枠１４の移動量は、移動カム溝７ｄのうち、位置Ｉから位置Ｋまでの部分の光軸方向長さＤに等しい。
【００２５】
以上説明したように、本実施形態では、ズーム動作時にズームカムリング７が光軸方向へ移動する。したがって、第２から第５までの各レンズ群移動枠のズーミング動作時における光軸方向移動量は、カムリング７に設けられた、各移動カム溝（７ａ〜７ｄ）の光軸方向長さと、カムリング７自体の光軸方向移動量Ｄ１とを合成した量となる。つまり、本実施形態では、移動カム溝（７ａ〜７ｄ）の光軸方向長さが、現実に各レンズ群移動枠が移動する量からズームカムリング７が光軸方向へ移動する量を差し引いた短いものとなる。この結果、ズームカムリング７も光軸方向に短くなり、引いてはレンズ鏡筒を光軸方向にコンパクトにすることが可能となっている。
【００２６】
一方、本実施形態の第１レンズ群Ｌ１、Ｌ２は、ズーミング動作中にその移動方向を転換する、すなわち、光軸に沿ってＵターンするレンズ群である。本実施形態では、この第１レンズ群Ｌ１、Ｌ２を、ズームカムリング７とは異なる部材である内側固定筒２に設けられた移動カム溝２ｂを用いて駆動することとしている。
第１レンズ群Ｌ１、Ｌ２は、ズーミング時に他のレンズ群と正確に連動することにより、光学系全体の焦点距離を変更するものである。この点からすれば、第１レンズ群Ｌ１、Ｌ２を駆動する移動カム溝２ｂは、その他の移動カム溝が設けられているのと同一の部材に設け、第１レンズ群と他のレンズ群との間におけるズーミング動作の誤差を最小限に抑制することが本来望ましいことである。
【００２７】
しかし、Ｕターン移動するレンズ群とズームカムリング７とは、相互に逆行するズーミング動作範囲を必ず有する。したがって、仮に、移動カム溝２ｂを他の移動カム溝と同様にズームカムリング７に設けることとすれば、移動カム溝２ｂの光軸方向長さは、ズームカムリング７と反対方向に移動する距離Ｄ１を加味したＤ１＋Ｄ６だけ必要となる。また、ズームカムリング７も、それに対応させて光軸方向に十分長くする必要が生じ、結果として、所定の長さのレンズ鏡筒にズームカムリング７を配置することが困難となる。
そこで本実施形態は、移動カム溝の全てを同一のカムリングに設けることを最善とする従来の技術常識に反し、移動カム溝２ｂをズームカムリング７と別個、独立に設け、これをもってズームカムリング７の光軸方向長さの増大を防止し、コンパクトなズームレンズ鏡筒の実現を可能としている。
【００２８】
また、本実施形態では、第１レンズ群Ｌ１、Ｌ２が光軸前方、後方のいずれへ移動する場合にも、移動カム溝２ｂと第１レンズ群Ｌ１、Ｌ２との相対移動量を小さく抑制すべく、移動カム溝２ｂを光軸方向へ不動のカム溝とした。これにより、移動カム溝２ｂの光軸方向の長さは、ズームカムリング７の回転角に比較して長くなることが回避され、光軸に対する移動カム溝２ｂのなす角度が大きく保たれる。この結果、移動カム溝２ｂを含むカム機構では、ズーミングトルクが低く抑制され、その作動効率は従来のズームレンズ鏡筒より良好となる。このことは、第１レンズ群Ｌ１、Ｌ２がズームカムリング７と反対方向に移動する領域（第２図に示される移動カム溝２ｂの位置ＬからＭまでの領域）において特に顕著である。つまり、本実施形態では、従来に比べ、ズーミング操作性のよいズームレンズを提供することが可能となっているのである。
【００２９】
【発明の効果】
以上詳しく説明したように、本発明によれば、ズーム動作時に、光軸方向に移動しつつ、光学系を光軸方向に駆動する駆動機構を備え、光学系の少なくとも一部は、ズーム動作中にその移動方向を転換するＵターン光学系であるズームレンズ鏡筒において、光軸方向に不動で、前記Ｕターン光学系を駆動する他の駆動機構を、前記駆動機構より独立して設けたことにより、ズーミング操作性が良好で、光軸方向にコンパクトなズームレンズ鏡筒を提供することが可能となった。
【図面の簡単な説明】
【図１】本発明の一実施形態であるズームレンズ鏡筒の断面図である。
【図２】図１に示したズームレンズ鏡筒で用いる内側ズームリング８及び内側固定筒２の部分展開図である
【図３】図１に示したズームレンズ鏡筒で用いるズームカムリング７及び内側固定筒２の部分展開図である。
【符号の説明】
１  外側固定筒                      １２  第４レンズ群移動枠
２  内側固定筒                      １３  第３レンズ群移動枠
２ｂ、２ｄ  移動カム溝              １４  第２レンズ群移動枠
３  第１レンズ群移動枠              １５、１６  カムピン
４  絞りリング                      １７  直進キー
５  ズームリング                    １８、１９、２０  カムピン
６  フォーカスリング                ２１  ピン
７  ズームカムリング                Ｌ１、Ｌ２  第１レンズ群
７ａ〜７ｄ  移動カム溝              Ｌ３  第２レンズ群
８  内側ズームリング                Ｌ４  第３レンズ群
９  カムピン                        Ｌ５  第４レンズ群
１１  第５レンズ群保持枠            Ｌ６、Ｌ７  第５レンズ群
【図１】
0003882228.tif 000002
【図２】
0003882228.tif 000003
【図３】
0003882228.tif 000004